(57)【要約】【課題】本発明は薬用容器缶検査装置を開示した。【解決手段】本発明の薬用容器缶検査装置は、フレームに固定的に設置される容箱を含み、前記フレームの角底部にフープが設けられ、前記容箱の最上部端面に容腔が設置される。前記容腔の左側にある容箱の内壁体に第一転倉が設置され、前記容腔の右側にある容箱の内壁体に安設腔が前後に延伸して設置される。本発明は構造が簡単で、操作が便利で、薬用容器缶の粉砕操作を実現でき、粉砕の品質及び均一性を向上させることができる。【選択図】図3
2019126801.tif 000002
【特許請求の範囲】
【請求項１】
薬用容器缶の検査装置であって、フレームに固定的に設置される容箱を含み、前記フレームの角底部にフープが設けられ、前記容箱の最上部端面に容腔が設置され、前記容腔の左側にある容箱の内壁体に第一転倉が設置され、前記容腔の右側にある容箱の内壁体に安設腔が前後に延伸して設置され、前記容腔の中に第一転棒が左右に延伸して設置され、前記第一転棒の左側延伸段と容箱の内壁体は回転可能なように連結し、前記第一転倉の中に伸入し、前記第一転棒の左側延伸端尾は動力を伝達可能なように第一電機に配合して設置され、前記第一電機の外表面は第一転倉の左側の内壁に設置され、前記容腔にある第一転棒の外表面には多組の前刀片が固定的に設けられ、前記第一転棒の右側延伸段と容箱の内壁体が回転可能なように連結して, 前記安設腔の中に伸入し、前記安設腔の中に位置する第一転棒の外表面には第一歯チェーン輪が固定的に設置され、前記第一歯チェーン輪と安設腔の後側にある第二歯チェーン輪が配合して連結しており、前記第二歯チェーン輪の中に左右に延伸して固定的に設けられ、前記容腔の中の第二転棒に伸入し、前記第二転棒と容箱の内壁体が回転可能なように連結しており、前記容腔にある第二転棒の外表面には多組の後刀片が設置され、前記第一転倉にある第二転棒の外表面には第一錐斜輪が設置され、前記第一転倉の内底壁は第一錐斜輪と配合して連結し、前記第二錐斜輪が第一転倉の内底壁に設置され、前記第一転倉の真下に第二転倉が設置され、前記第二錐斜輪の底部端面には容箱と回転可能なように連結する前記第三転棒が固定的に取り付けられ、前記第三転棒の底部延伸段末は第二転倉の中に伸入して、段末に前記第三錐斜輪が固定的に取り付けられ、前記第二転倉の右側壁には第三錐斜輪と連結する第四錐斜輪が設置され、前記容腔の内底壁に砕粒腔が設置され、前記砕粒腔の右側壁に滑推腔が設置され、前記第四錐斜輪の右側端面には容箱と連結する第四転棒が固定的に取り付けられ、前記第四転棒の右側延伸端末は砕粒腔の中に伸入して、端末には前記左粉砕台が固定的に取り付けられ、前記滑推腔の中に滑台が可動的に設けられ、前記滑台の左側端面に第二電機が固定的に取り付けられ、前記第二電機の左側端は動力を伝達可能なように右粉砕台に配合して設けられ、前記滑台の右側に推頂機構が設置され、前記容箱の底部端面に砕粒腔と貫通する第一排送腔が設置され、第一排送腔の中に分離装置が設置され、分離装置は第一排送腔の右側に貫通する通合槽を含み、前記通合槽の右側端末には容箱の底部端面に貫く第二排送腔が設置され、前記第一排送腔の中に網篩が固定的に取り付けられ、前記網篩の底部端面に震動装置が固定的に取り付けられ、前記網篩の右側延伸端末は通合槽の中に伸入して、端末は前記第二排送腔の左側端壁と同じ高さであり、前記網篩の右側は下向きの傾斜として設定され、後ブレードと前ブレードが交錯して設けられ、推頂機構は滑台の右側端面に固定的に取り付けられる液圧棒を含み、前記液圧棒の右側端末は液圧缶が設置され、前記液圧缶は滑推腔の右側壁に固定的に設けられ、容箱の最上部端面には容腔と貫通するホッパーが固定的に取り付けられ、左粉砕台と右粉砕台は対応して設置される円台構造であることを特徴とする薬用容���缶の検査装置。
【発明の詳細な説明】
【技術分野】
【０００１】
本発明は医薬容器の分野に関し、具体的には、薬用容器缶の検査装置に関する。
【背景技術】
【０００２】
医薬分野では、薬剤を収容する薬用容器缶の使用に厳しい要求があり、これは薬用安全を保証する重要な保障である。いくつかの医薬容器を加工する工場で、往々にして不合格な容器缶を廃棄処理することが、既存の容器缶の廃棄装置は容器缶を割らす効率が低く、容器缶の割れた品質も悪い。
【先行技術文献】
【特許文献】
【０００３】
【特許文献１】中国特許出願公開第107571565号明細書
【発明の概要】
【発明が解決しようとする課題】
【０００４】
本発明の薬用容器缶の検査装置によれば、フレームに固定的に設置される容箱を含み、前記フレームの角底部にフープが設けられ、前記容箱の最上部端面に容腔が設置される。前記容腔の左側にある容箱の内壁体に第一転倉が設置され、前記容腔の右側にある容箱の内壁体に安設腔が前後に延伸して設置され、前記容腔の中に第一転棒が左右に延伸して設置される。前記第一転棒の左側延伸段と容箱の内壁体は回転可能なように連結し、前記第一転倉の中に伸入する。前記第一転棒の左側延伸端尾動力は第一電機が配合して設置され、前記第一電機の外表面は第一転倉の左側の内壁に設置される。前記容腔にある第一転棒の外表面には多組の前刀片が固定的に設けられ、前記第一転棒の右側延伸段と容箱の内壁体が回転可能なように連結して, 前記安設腔の中に伸入する。前記安設腔の中に位置する第一転棒の外表面には第一歯チェーン輪が固定的に設置され、前記第一歯チェーン輪と安設腔の後側にある第二歯チェーン輪が配合して連結している。前記第二歯チェーン輪の中に左右に延伸する設置が固定的に設けられ、前記容腔の中の第二転棒に伸入する。前記第二転棒と容箱の内壁体が回転可能なように連結している。前記容腔にある第二転棒の外表面には多組の後刀片が設置され、前記第一転倉にある第二転棒の外表面には第一錐斜輪が設置され、前記第一転倉の内底壁は第一錐斜輪と配合して連結し、前記第二錐斜輪が第一転倉の内底壁に設置される。前記第一転倉の真下に第二転倉が設置され、前記第二錐斜輪の底部端面には容箱と回転可能なように連結する前記第三転棒が固定的に取り付けられ、前記第三転棒の底部延伸段末第二転倉の中に伸入して、段末に前記第三錐斜輪が固定的に取り付けられる。前記第二転倉の右側壁には第三錐斜輪と連結する第四錐斜輪が設置され、前記容腔の内底壁に砕粒腔が設置され、前記砕粒腔の右側壁に滑推腔が設置される。前記第四錐斜輪の右側端面には容箱と連結する第四転棒が固定的に取り付けられ、前記第四転棒の右側延伸端末は砕粒腔の中に伸入して、端末には前記左粉砕台が固定的に取り付けられる。前記滑推腔の中に滑台が活動して設けられ、前記滑台の左側端面に第二電機が固定的に取り付けられ、前記第二電機の左側端動力は右粉砕台が配合して設けられ、前記滑台の右側に推頂機構が設置され、前記容箱の底部端面に砕粒腔と貫通する第一排送腔が設置され、第一排送腔の中に分離装置が設置される。
【０００５】
他の技術方案として、分離装置は第一排送腔の右側に貫通する通合槽を含む。前記通合槽の右側端末には容箱の底部端面に貫く第二排送腔が設置される。前記第一排送腔の中に網篩が固定的に取り付けられ、前記網篩の底部端面に震動装置が固定的に取り付けられる。前記網篩の右側延伸端末は通合槽の中に伸入して、端末は前記第二排送腔の左側端壁と同じ高さである。前記網篩の右側は下向きの傾斜として設定される。
【０００６】
他の技術方案として、後ブレードと前ブレードが交錯して設けられる。
【０００７】
好ましくは、推頂機構は滑台の右側端面に固定的に取り付けられる液圧棒を含み、前記液圧棒の右側端末は液圧缶が設置され、前記液圧缶は滑推腔の右側壁に固定的に設けられる。
【０００８】
他の技術方案として、容箱の最上部端面には容腔と貫通するホッパーが固定的に取り付けられる。
【０００９】
他の技術方案として、左粉砕台と右粉砕台は対応して設置される円台構造である。
【発明の効果】
【００１０】
本発明は構造が簡単で、操作が便利で、薬用容器缶の粉砕操作を実現でき、粉砕の品質及び均一性を向上させることができる。
【図面の簡単な説明】
【００１１】
【図１】図１は本発明の薬用容器缶検査装置の内部構造案内図である。
【図２】図２は本発明の図1の矢印方向の構造案内図である。
【図３】図３は図1の見上げ図である。
【発明を実施するための形態】
【００１２】
以下、図1-3を結合して本発明について詳しく説明する。図1-3を参照して、本発明の実施例に係る薬用容器缶検査装置によれば、フレーム70に固定的に設置される容箱80を含み、前記フレーム70の角底部にフープ701が設けられ、前記容箱80の最上部端面に容腔810が設置される。前記容腔810の左側にある容箱80の内壁体に第一転倉817が設置され、前記容腔810の右側にある容箱80の内壁体に安設腔814が前後に延伸して設置され、前記容腔810の中に第一転棒812が左右に延伸して設置される。前記第一転棒812の左側延伸段と容箱80の内壁体は回転可能なように連結し、前記第一転倉817の中に伸入する。前記第一転棒812の左側延伸端尾動力は第一電機820が配合して設置され、前記第一電機820の外表面は第一転倉817の左側の内壁に設置される。前記容腔810にある第一転棒812の外表面には多組の前刀片811が固定的に設けられ、前記第一転棒812の右側延伸段と容箱80の内壁体が回転可能なように連結して, 前記安設腔814の中に伸入する。前記安設腔814の中に位置する第一転棒812の外表面には第一歯チェーン輪813が固定的に設置され、前記第一歯チェーン輪813と安設腔814の後側にある第二歯チェーン輪852が配合して連結している。前記第二歯チェーン輪852の中に左右に延伸する設置が固定的に設けられ、前記容腔810の中の第二転棒812に伸入する。前記第二転棒812と容箱80の内壁体が回転可能なように連結している。前記容腔810にある第二転棒853の外表面には多組の後刀片853が設置され、前記第一転倉817にある第二転棒812の外表面には第一錐斜輪816が設置され、前記第一転倉817の内底壁は第一錐斜輪816と配合して連結し、前記第二錐斜輪821が第一転倉817の内底壁に設置される。前記第一転倉817の真下に第二転倉824が設置され、前記第二錐斜輪821の底部端面には容箱80と回転可能なように連結する前記第三転棒822が固定的に取り付けられ、前記第三転棒822の底部延伸段末第二転倉824の中に伸入して、段末に前記第三錐斜輪823が固定的に取り付けられる。前記第二転倉824の右側壁には第三錐斜輪823と連結する第四錐斜輪825が設置され、前記容腔810の内底壁に砕粒腔832が設置され、前記砕粒腔832の右側壁に滑推腔845が設置される。前記第四錐斜輪825の右側端面には容箱80と連結する第四転棒831が固定的に取り付けられ、前記第四転棒831の右側延伸端末は砕粒腔832の中に伸入して、端末には前記左粉砕台861が固定的に取り付けられる。前記滑推腔845の中に滑台843が活動して設けられ、前記滑台843の左側端面に第二電機842が固定的に取り付けられ、前記第二電機842の左側端動力は右粉砕台862が配合して設けられ、前記滑台843の右側に推頂機構が設置され、前記容箱80の底部端面に砕粒腔832と貫通する第一排送腔853が設置され、第一排送腔853の中に分離装置が設置される。
【００１３】
好ましくは、分離装置は第一排送腔853の右側に貫通する通合槽836を含む。前記通合槽836の右側端末には容箱80の底部端面に貫く第二排送腔841が設置される。前記第一排送腔835の中に網篩834が固定的に取り付けられ、前記網篩834の底部端面に震動装置833が固定的に取り付けられる。前記網篩834の右側延伸端末は通合槽836の中に伸入して、端末は前記第二排送腔841の左側端壁と同じ高さである。前記網篩834の右側は下の傾斜設定で、前記未粉砕済みの容器缶砕粒が第二排送腔841から排出し、二回の粉砕操作が便利になる。
【００１４】
好ましくは、後ブレード853と前ブレード811が交錯して設けられて、前記粉砕の均一性を向上させる。
【００１５】
好ましくは、推頂機構は滑台843の右側端面に固定的に取り付けられる液圧棒844を含み、前記液圧棒844の右側端末は液圧缶846が設置され、前記液圧缶846は滑推腔845の右側壁に固定的に設けられる。それによって左粉砕台861と右粉砕台862の間の距離を調節し、材料の渋滞を防ぐ。
【００１６】
好ましくは、容箱80の最上部端面には容腔810と貫通するホッパー815が固定的に取り付けられる。
【００１７】
好ましくは、左粉砕台861と右粉砕台862は対応して設置される円台構造であり、前記容器缶砕粒が左粉砕台861と右粉砕台862の間の隙間に滑り込むことが容易になる。
【００１８】
本発明の有益な効果は、構造が簡単で、操作が便利で、薬用容器缶の粉砕操作を実現でき、粉砕の品質及び均一性を向上させることができる。
【図１】
2019126801.tif 000003
【図２】
2019126801.tif 000004
【図３】
2019126801.tif 000005
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
薬用容器缶の検査装置であって、フレームに固定的に設置される容箱を含み、前記フレームの角底部にフープが設けられ、前記容箱の最上部端面に容腔が設置され、前記容腔の左側にある容箱の内壁体に第一転倉が設置され、前記容腔の右側にある容箱の内壁体に安設腔が前後に延伸して設置され、前記容腔の中に第一転棒が左右に延伸して設置され、前記第一転棒の左側延伸段と容箱の内壁体は回転可能なように連結し、前記第一転倉の中に伸入し、前記第一転棒の左側延伸端末は動力を伝達可能なように第一電機に配合して設置され、前記第一電機の外表面は第一転倉の左側の内壁に設置され、前記容腔にある第一転棒の外表面には多組の前ブレードが固定的に設けられ、前記第一転棒の右側延伸段と容箱の内壁体が回転可能なように連結して, 前記安設腔の中に伸入し、前記安設腔の中に位置する第一転棒の外表面には第一歯チェーン輪が固定的に設置され、前記第一歯チェーン輪と安設腔の後側にある第二歯チェーン輪が配合して連結しており、前記第二歯チェーン輪の中に左右に延伸して固定的に設けられ、前記容腔の中の第二転棒に伸入し、前記第二転棒と容箱の内壁体が回転可能なように連結しており、前記容腔にある第二転棒の外表面には多組の後ブレードが設置され、前記第一転倉にある第一転棒の外表面には第一錐斜輪が設置され、前記第一転倉の内には前記第一錐斜輪と噛み合う第二錐斜輪が設置され、前記第一転倉の真下に第二転倉が設置され、前記第二錐斜輪の底部端面には容箱と回転可能なように連結する前記第三転棒が固定的に取り付けられ、前記第三転棒の底部延伸段末は第二転倉の中に伸入して、段末に前記第三錐斜輪が固定的に取り付けられ、前記第二転倉の右側壁には第三錐斜輪と連結する第四錐斜輪が設置され、前記容腔の内底壁に砕粒腔が設置され、前記砕粒腔の右側壁に滑推腔が設置され、前記第四錐斜輪の右側端面には容箱と連結する第四転棒が固定的に取り付けられ、前記第四転棒の右側延伸端末は砕粒腔の中に伸入して、端末には前記左粉砕台が固定的に取り付けられ、前記滑推腔の中に滑台が可動的に設けられ、前記滑台の左側端面に第二電機が固定的に取り付けられ、前記第二電機の左側端は動力を伝達可能なように右粉砕台に配合して設けられ、前記滑台の右側に推頂機構が設置され、前記容箱の底部端面に砕粒腔と貫通する第一排送腔が設置され、第一排送腔の中に分離装置が設置され、分離装置は第一排送腔の右側に貫通する通合槽を含み、前記通合槽の右側端末には容箱の底部端面に貫く第二排送腔が設置され、前記第一排送腔の中に網篩が固定的に取り付けられ、前記網篩の底部端面に震動装置が固定的に取り付けられ、前記網篩の右側延伸端末は通合槽の中に伸入して、端末は前記第二排送腔の左側端壁と同じ高さであり、前記網篩の右側は下向きの傾斜として設定され、後ブレードと前ブレードが交錯して設けられ、推頂機構は滑台の右側端面に固定的に取り付けられる液圧棒を含み、前記液圧棒の右側端末は液圧缶が設置され、前記液圧缶は滑推腔の右側壁に固定的に設けられ、容箱の最上部端面には容腔と貫通するホッパーが固定的に取り付けられ、左粉砕台と右粉砕台は対応して設置される円台構造であることを特徴とする薬用容器缶の検査装置。
【手続補正２】
【補正対象書類名】明細書
【補正対象項目名】全文
【補正方法】変更
【補正の内容】
【発明の詳細な説明】
【技術分野】
【０００１】
本発明は医薬容器の分野に関し、具体的には、薬用容器缶の検査装置に関する。
【背景技術】
【０００２】
医薬分野では、薬剤を収容する薬用容器缶の使用に厳しい要求があり、これは薬用安全を保証する重要な保障である。いくつかの医薬容器を加工する工場で、往々にして不合格な容器缶を廃棄処理することが、既存の容器缶の廃棄装置は容器缶を割らす効率が低く、容器缶の割れた品質も悪い。
【先行技術文献】
【特許文献】
【０００３】
【特許文献１】中国特許出願公開第107571565号明細書
【発明の概要】
【発明が解決しようとする課題】
【０００４】
本発明の薬用容器缶の検査装置によれば、フレームに固定的に設置される容箱を含み、前記フレームの角底部にフープが設けられ、前記容箱の最上部端面に容腔が設置される。前記容腔の左側にある容箱の内壁体に第一転倉が設置され、前記容腔の右側にある容箱の内壁体に安設腔が前後に延伸して設置され、前記容腔の中に第一転棒が左右に延伸して設置される。前記第一転棒の左側延伸段と容箱の内壁体は回転可能なように連結し、前記第一転倉の中に伸入する。前記第一転棒の左側延伸端末動力は第一電機が配合して設置され、前記第一電機の外表面は第一転倉の左側の内壁に設置される。前記容腔にある第一転棒の外表面には多組の前ブレードが固定的に設けられ、前記第一転棒の右側延伸段と容箱の内壁体が回転可能なように連結して, 前記安設腔の中に伸入する。前記安設腔の中に位置する第一転棒の外表面には第一歯チェーン輪が固定的に設置され、前記第一歯チェーン輪と安設腔の後側にある第二歯チェーン輪が配合して連結している。前記第二歯チェーン輪の中に左右に延伸する設置が固定的に設けられ、前記容腔の中の第二転棒に伸入する。前記第二転棒と容箱の内壁体が回転可能なように連結している。前記容腔にある第二転棒の外表面には多組の後ブレードが設置され、前記第一転倉にある第一転棒の外表面には第一錐斜輪が設置され、前記第一転倉の内には前記第一錐斜輪と噛み合う第二錐斜輪が設置され、前記第一転倉の真下に第二転倉が設置され、前記第二錐斜輪の底部端面には容箱と回転可能なように連結する前記第三転棒が固定的に取り付けられ、前記第三転棒の底部延伸段末第二転倉の中に伸入して、段末に前記第三錐斜輪が固定的に取り付けられる。前記第二転倉の右側壁には第三錐斜輪と連結する第四錐斜輪が設置され、前記容腔の内底壁に砕粒腔が設置され、前記砕粒腔の右側壁に滑推腔が設置される。前記第四錐斜輪の右側端面には容箱と連結する第四転棒が固定的に取り付けられ、前記第四転棒の右側延伸端末は砕粒腔の中に伸入して、端末には前記左粉砕台が固定的に取り付けられる。前記滑推腔の中に滑台が活動して設けられ、前記滑台の左側端面に第二電機が固定的に取り付けられ、前記第二電機の左側端動力は右粉砕台が配合して設けられ、前記滑台の右側に推頂機構が設置され、前記容箱の底部端面に砕粒腔と貫通する第一排送腔が設置され、第一排送腔の中に分離装置が設置される。
【０００５】
他の技術方案として、分離装置は第一排送腔の右側に貫通する通合槽を含む。前記通合槽の右側端末には容箱の底部端面に貫く第二排送腔が設置される。前記第一排送腔の中に網篩が固定的に取り付けられ、前記網篩の底部端面に震動装置が固定的に取り付けられる。前記網篩の右側延伸端末は通合槽の中に伸入して、端末は前記第二排送腔の左側端壁と同じ高さである。前記網篩の右側は下向きの傾斜として設定される。
【０００６】
他の技術方案として、後ブレードと前ブレードが交錯して設けられる。
【０００７】
好ましくは、推頂機構は滑台の右側端面に固定的に取り付けられる液圧棒を含み、前記液圧棒の右側端末は液圧缶が設置され、前記液圧缶は滑推腔の右側壁に固定的に設けられる。
【０００８】
他の技術方案として、容箱の最上部端面には容腔と貫通するホッパーが固定的に取り付けられる。
【０００９】
他の技術方案として、左粉砕台と右粉砕台は対応して設置される円台構造である。
【発明の効果】
【００１０】
本発明は構造が簡単で、操作が便利で、薬用容器缶の粉砕操作を実現でき、粉砕の品質及び均一性を向上させることができる。
【図面の簡単な説明】
【００１１】
【図１】図１は本発明の薬用容器缶検査装置の内部構造案内図である。
【図２】図２は本発明の図1の矢印方向の構造案内図である。
【図３】図３は図1の見上げ図である。
【発明を実施するための形態】
【００１２】
以下、図1-3を結合して本発明について詳しく説明する。図1-3を参照して、本発明の実施例に係る薬用容器缶検査装置によれば、フレーム70に固定的に設置される容箱80を含み、前記フレーム70の角底部にフープ701が設けられ、前記容箱80の最上部端面に容腔810が設置される。前記容腔810の左側にある容箱80の内壁体に第一転倉817が設置され、前記容腔810の右側にある容箱80の内壁体に安設腔814が前後に延伸して設置され、前記容腔810の中に第一転棒812が左右に延伸して設置される。前記第一転棒812の左側延伸段と容箱80の内壁体は回転可能なように連結し、前記第一転倉817の中に伸入する。前記第一転棒812の左側延伸端末動力は第一電機820が配合して設置され、前記第一電機820の外表面は第一転倉817の左側の内壁に設置される。前記容腔810にある第一転棒812の外表面には多組の前ブレード811が固定的に設けられ、前記第一転棒812の右側延伸段と容箱80の内壁体が回転可能なように連結して, 前記安設腔814の中に伸入する。前記安設腔814の中に位置する第一転棒812の外表面には第一歯チェーン輪813が固定的に設置され、前記第一歯チェーン輪813と安設腔814の後側にある第二歯チェーン輪852が配合して連結している。前記第二歯チェーン輪852の中に左右に延伸する設置が固定的に設けられ、前記容腔810の中の第二転棒812に伸入する。前記第二転棒812と容箱80の内壁体が回転可能なように連結している。前記容腔810にある第二転棒853の外表面には多組の後ブレード853が設置され、前記第一転倉817にある第一転棒812の外表面には第一錐斜輪816が設置され、前記第一転倉817の内には前記第一錐斜輪816と噛み合う第二錐斜輪821が設置され、前記第一転倉817の真下に第二転倉824が設置され、前記第二錐斜輪821の底部端面には容箱80と回転可能なように連結する前記第三転棒822が固定的に取り付けられ、前記第三転棒822の底部延伸段末第二転倉824の中に伸入して、段末に前記第三錐斜輪823が固定的に取り付けられる。前記第二転倉824の右側壁には第三錐斜輪823と連結する第四錐斜輪825が設置され、前記容腔810の内底壁に砕粒腔832が設置され、前記砕粒腔832の右側壁に滑推腔845が設置される。前記第四錐斜輪825の右側端面には容箱80と連結する第四転棒831が固定的に取り付けられ、前記第四転棒831の右側延伸端末は砕粒腔832の中に伸入して、端末には前記左粉砕台861が固定的に取り付けられる。前記滑推腔845の中に滑台843が活動して設けられ、前記滑台843の左側端面に第二電機842が固定的に取り付けられ、前記第二電機842の左側端動力は右粉砕台862が配合して設けられ、前記滑台843の右側に推頂機構が設置され、前記容箱80の底部端面に砕粒腔832と貫通する第一排送腔853が設置され、第一排送腔853の中に分離装置が設置される。
【００１３】
好ましくは、分離装置は第一排送腔853の右側に貫通する通合槽836を含む。前記通合槽836の右側端末には容箱80の底部端面に貫く第二排送腔841が設置される。前記第一排送腔835の中に網篩834が固定的に取り付けられ、前記網篩834の底部端面に震動装置833が固定的に取り付けられる。前記網篩834の右側延伸端末は通合槽836の中に伸入して、端末は前記第二排送腔841の左側端壁と同じ高さである。前記網篩834の右側は下の傾斜設定で、前記未粉砕済みの容器缶砕粒が第二排送腔841から排出し、二回の粉砕操作が便利になる。
【００１４】
好ましくは、後ブレード853と前ブレード811が交錯して設けられて、前記粉砕の均一性を向上させる。
【００１５】
好ましくは、推頂機構は滑台843の右側端面に固定的に取り付けられる液圧棒844を含み、前記液圧棒844の右側端末は液圧缶846が設置され、前記液圧缶846は滑推腔845の右側壁に固定的に設けられる。それによって左粉砕台861と右粉砕台862の間の距離を調節し、材料の渋滞を防ぐ。
【００１６】
好ましくは、容箱80の最上部端面には容腔810と貫通するホッパー815が固定的に取り付けられる。
【００１７】
好ましくは、左粉砕台861と右粉砕台862は対応して設置される円台構造であり、前記容器缶砕粒が左粉砕台861と右粉砕台862の間の隙間に滑り込むことが容易になる。
【００１８】
本発明の有益な効果は、構造が簡単で、操作が便利で、薬用容器缶の粉砕操作を実現でき、粉砕の品質及び均一性を向上させることができる。